(57)【要約】      （修正有）【課題】    開封し易い包装材を人手を要せずに連続して能率よく、しかも、安価に製造することができる製造方法を提供する。【解決手段】製造方法は、長手方向に搬送される一対の内フィルム２，２の巾方向中央部に長手方向に所定間隔を隔てて穴を穿設する工程と、海苔等のシート３を穴の中間に位置するように一対の内フィルム２，２の内面上に配置する工程と、長手方向に搬送される長尺の外フィルム１をシート３を被覆するように内フィルム２，２に重合する工程と、重合された内フィルム２，２及び外フィルム１をその巾方向両側縁及びシート３の先端側及び後端側の部位で互いに接合する工程と、接合された内フィルム２，２と外フィルム１をそれぞれ穴の近傍で切断して切離する工程を具えている。【選択図】  図１
2005333802.tif 000002
【特許請求の範囲】
【請求項１】
巾方向中央部で部分的に重合されて長手方向に搬送される長尺の一対の内フィルムの巾方向中央部に長手方向に所定間隔を隔ててこれら一対の内フィルムを貫通する穴を穿設する工程と、海苔等のシートを隣接する上記穴の中間に位置するように上記一対の内フィルムの内面に配置する工程と、長手方向に搬送される長尺の外フィルムを上記シートを被覆するように上記内フィルムに重合する工程と、上記重合された内フィルム及び外フィルムをその巾方向両側縁及び上記シートの先端側及び後端側の部位で互いに接合する工程と、上記接合された内フィルムと外フィルムをそれぞれ上記穴の近傍で切断して切離する工程を具えていることを特徴とする包装材の製造方法。
【請求項２】
上記接合された内フィルムと外フィルムを上記穴の近傍で切断して切離する際上記穴の内部において上記外フイルムを山形状に切断する切断線及び上記外フィルム及び内フィルムの両側縁から上記山形状の切断線の両脚に達する切断線からなる切断線で切断して上記外フィルムの先端または後端に山形状摘み片を形成したことを特徴とする請求項１記載の包装材の製造方法。
【請求項３】
上記外フィルムの巾方向中央部にこれを貫通するように長手方向に所定間隔を隔てて山形状スリットを穿設する工程を具え、上記外フィルムを上記内フィルムに重合する際上記山形状スリットを上記の穴の内部に位置せしめ、かつ、接合された内フィルムと外フィルムを切離する際上記外フィルム及び内フィルムの両側縁から上記山形状スリットの両脚に達する切断線で切断して上記外フィルムの先端または後端に山形状摘み片を形成したことを特徴とする請求項１記載の包装材の製造方法。
【発明の詳細な説明】
【技術分野】
【０００１】
この発明は三角形のおにぎり等を包装するためのシート状海苔が収容された包装材の製造方法に関する．
【背景技術】
【０００２】
図１２及び図１３に示すように、従来のこの種包装材０１０は外フィルム０１と、巾方向中央部で部分的に重合された１対の内フィルム０２、０２を備え、これら外フィルム０１と内フィルム０２、０２との間にシート状海苔０３が収納されている。
【０００３】
外フィルム０１と内フィルム０２、０２はその両側縁で溶着部０４により互いに接合され、かつ、上下両端部でラインシール０５により互いに接合されている。
【０００４】
外フィルム０１の内面にはその巾方向中央部に上端から下端に伸びるカットテープ０６が接着され、このカットテープ０６の上端部両側に位置するように外フィルム０１及び内フイルム２，２の上端から下方に伸びる切り込み０７、０７を入れることによってこれら切り込み０７と０７との間に摘み片０８が形成されている。
【０００５】
この包装材０１０で、図１４に示すように、三角形のおにぎり０９を包装し、摘み片０８を指で摘んで引き廻すと、外フィルム０１がカットテープ０６により破断されてその巾方向中央から２分割される。
そこで、２分割された外フィルム０１を把持して左右に引き離すと、外フィルム０１及び内フィルム０２、０２が分離することによりシート状海苔０３が包装材０１０内から引き出されておにぎり０９の周囲に巻き付けられ、この状態でシート状海苔０３が巻き付けられたおにぎり０９を食することができる。
【０００６】
この包装材０１０は開封する際、摘み片０８を見付け難く、また、摘み片０８を摘み難い。
そこで、特開２００２−３６２６６５号公報や特開平９−１０３２５５号公報に示されるように、外フィルムの上端中央から上方に突出する摘み片を形成することが提案されたが、これはこの摘み片の背後にこれと同形の内フィルムが重合された状態で位置しているため、包装材を開封する際、摘み片と一緒に内フィルムを摘んでしまうおそれがあり、内フィルムを摘んでしまうと、包装材を開封できなくなるという問題があった。
【特許文献１】特開２００２−３６２６６５号公報
【特許文献２】特開平９−１０３２５５号公報
【発明の開示】
【発明が解決しようとする課題】
【０００７】
本発明が解決しようとする課題は容易、かつ，確実に開封できる包装材を人手を要せずに連続して能率よく、しかも、安価に製造することができる製造方法を提供することにある。
【課題を解決するための手段】
【０００８】
本発明の要旨とするところは、巾方向中央部で部分的に重合されて長手方向に搬送される長尺の一対の内フィルムの巾方向中央部に長手方向に所定間隔を隔ててこれら一対の内フィルムを貫通する穴を穿設する工程と、海苔等のシートを隣接する上記穴の中間に位置するように上記一対の内フィルムの内面に配置する工程と、長手方向に搬送される長尺の外フィルムを上記シートを被覆するように上記内フィルムに重合する工程と、上記重合された内フィルム及び外フィルムをその巾方向両側縁及び上記シートの先端側及び後端側の部位で互いに接合する工程と、上記接合された内フィルムと外フィルムをそれぞれ上記穴の近傍で切断して切離する工程を具えていることを特徴とする包装材の製造方法にある。
【０００９】
他の特徴とするところは、上記接合された内フィルムと外フィルムを上記穴の近傍で切断して切離する際上記穴の内部において上記外フイルムを山形状に切断する切断線及び上記外フィルム及び内フィルムの両側縁から上記山形状の切断線の両脚に達する切断線からなる切断線で切断して上記外フィルムの先端または後端に山形状摘み片を形成したことにある。
【００１０】
更に、他の特徴とするところは、上記外フィルムの巾方向中央部にこれを貫通するように長手方向に所定間隔を隔てて山形状スリットを穿設する工程を具え、上記外フィルムを上記内フィルムに重合する際上記山形状スリットを上記穴の内部に位置せしめ、かつ、接合された内フィルムと外フィルムを切断する際、上記外フィルム及び内フィルムの両側縁から上記山形状スリットの両脚に達する切断線で切断して上記外フィルムの先端または後端に山形状摘み片を形成したことにある。
【発明の効果】
【００１１】
本発明においては、包装材を人手を要せずに連続して能率よくしかも安価に製造することができるとともにこの製造方法によって製造された包装材はその外フィルム先端または後端に形成された摘み片の背後に内フィルムが存在しないので、摘み片を容易、かつ、確実に摘むことができる。
【００１２】
請求項２及び請求項３記載の製造方法によって製造された包装材はその外フィルムの先端または後端から山形状の摘み片が突出しているので、この摘み片を見付け易く、かつ、摘み易い。
【発明を実施するための最良の形態】
【００１３】
以下、本発明を実施するための最良の形態について説明する。
【実施例１】
【００１４】
本発明の第１の実施例が図１ないし図５に示され、図１は製造工程を示す略示的側面図、図２は穴明機構の略示的斜視図、図３は切込機構の略示的斜視図、図４は切除機構の略示的斜視図、図５は包装材の正面図である。
【００１５】
図１に示すように、ロール１１には予め巾方向中央部で部分的に重合された長尺の一対の内フィルム２、２が巻回され、ロール１２には長尺の外フィルム１が巻回され、その内面には予め巾方向中央部にカットテープ６が貼り付けられている。
貯槽１４内には予め所定の矩形状に整形されたシート状海苔３が積層された状態で蓄えられている。
【００１６】
ロール１１から引き出されて長手方向に搬送される内フィルム２、２はガイドローラ１５に案内されて穴明機構１６に導かれて、ここでその巾方向中央部に長手方向に所定間隔を隔ててこれら一対の内フィルム２、２を貫通する穴３５が穿設される。
【００１７】
穴明機構１６は、図２に示すように、受ローラ１６ａと工具台１６ｂを具え、この工具台１６ｂを図示しない手段により間欠的に白抜矢印方向に往復動させて、この工具台１６ｂに取り付けられた略長円形の刃１６ｃを受ローラ１６ａに当接させることによって受ローラ１６ａのまわりに巻回された内フィルム２、２に略長円形の穴３５を穿設する。
なお、穴明機構１６は図示のものに限られることなく、ロータリーダイカッター等任意の形式、構造のものを採用できることは勿論である。
【００１８】
穴３５を穿設することによって刃１６ｃで切り取られた略長円形の切取片は吸引機構１７により吸引されることにより除去され、しかる後、内フィルム２、２はガイドローラ１８に案内されてシール装置１９に搬送される。
【００１９】
貯槽１４内に蓄えられたシート状海苔３は間欠的に１枚ずつコンベア２０上に載置され、このコンベア２０によって搬送されることによって隣接する穴３５の中間に位置するように内フィルム２、２上に配置される。
【００２０】
ロール１２から引き出されて長手方向に搬送される外フィルム１は切込機構２１に導かれて、ここでその巾方向中央部に長手方向に所定間隔を隔てて外フィルム１を貫通する１対のスリット７、７が穿設される。
【００２１】
切込機構２１は、図３に示すように、受ローラ２１ａと工具台２１ｂを具え、この工具台２１ｂを図示しない手段により間欠的に白抜矢印方向に往復動させて、これに取り付けられた１対の刃２１ｃ、２１ｄを受ローラ２１ａに当接させることによって受ローラ２１ａのまわりに巻回された外フィルム１にカットテープ６の両側に位置して外フィルム１の長手方向に伸びる所定長さの１対のスリット７、７が穿設される。
なお、切込機構２１は図示のものに限られることなく、ロータリーダイカッター等任意の形式、構造のものを採用できる。
【００２２】
スリット７、７が穿設された外フイルム１はガイドローラ２２、２３に案内されてシート状海苔３を被覆するように内フィルム２、２に重合されることにより外フイルム１に穿設されたスリット７、７は、図４及び図５に示すように、穴３５の内部に位置し、この状態でシール装置１９に供給される。
【００２３】
シール装置１９は、図示のように、熱ローラ１９ａと１９ｂを具え、これらローラ１９ａと１９ｂの間を重合された内フィルム２、２と外フィルム１が通過する過程で、これら重合された内フィルム２、２及び外フィルム１の巾方向両側縁は、図４及び図５に示すように、溶着部４で互いに接合され、かつ、各シート状海苔３の先端側及び後端側の部位で巾方向に伸びる直線状のラインシール５により接合され、かくして、内フィルム２、２と外フィルム１の間にシート状海苔３が相対的に移動できないように保持される。
なお、直線状のラインシール５に代えて巾方向に間隔を隔てて施された複数個のポイントシールにより接合することもできる。
【００２４】
次いで、このように接合された内フィルム２、２と外フィルム１は切除機構２８に供給され、ここで内フィルム２、２及び外フィルム１の巾方向両側縁が切断線３１によって部分的に切除されて穴３５、スリット７、７、ラインシール５、５の近傍に切り欠き３２，３２が形成される。
【００２５】
切除機構２８は、図４に示すように、カッターローラ２８ａとゴムローラ２８ｂを具え、カッターローラ２８ａの外周面には切断線３１を構成する刃２８ｃ及び２８ｄが突設されている。
カッターローラ２８ａ及びゴムローラ２８ｂを矢印方向に回転させて上記刃２８ｃ及び２８ｄをゴムローラ２８ｂの外周面に当接させることによってカッターローラ２８ａとゴムローラ２８ｂの間を通過する内フィルム２、２及び外フィルム１の巾方向両側縁を部分的に切除する。
なお、切除機構２８は図示のものに限られることはなく、任意の形式、構造のものを採用できる。
【００２６】
切除機構２８を通過した内フィルム２、２と外フィルム１が吸引機構２９を通過する過程で切除機構２８によって切除された切除片は吸引機構２９により吸引されることにより取り除かれる。
【００２７】
次いで、内フィルム２、２と外フィルム１は切断機構２４に供給され、ここで穴３５の近傍で巾方向に伸びる切断線３３により切断することによって切り離される。
なお、切断線３３は、図５に示すように、ラインシール５、５の間に位置して内フィルム２、２及び外フィルム１の１方の側縁から他方の側縁に達し、この切断線３３に１対のスリット７，７の先端が連続する。
かくして、１対のスリット７，７の間に摘み片３４が構成され、この摘み片３４は外フイルム１の先端においてその巾方向中央に位置する。
【００２８】
切断機構２４は、図示のように、可動刃２４ａと固定刃２４ｂを具え、可動刃２４ａを間欠的に上下動させることによって可動刃２４ａと固定刃２４ｂにより内フィルム２、２と外フィルム１を切断する。
なお、切断機構２４は、図示のものに限られることはなく、フライングカッター等の任意の形式、構造のものを採用できる。
【００２９】
このようにして、図５に示す包装材１０が完成し、完成した包装材１０はコンベヤ２５によって搬出される。
かくして、包装材１０は人手を要せずに連続して能率よくしかも安価に製造することができ、しかも、製造された包装材１０の外フイルム１の先端に形成された摘み片３４はその背後に内フィルム２、２が存在しないので、摘み片３４のみを容易に摘むことができる。
従って、この包装材１０によって三角形のおにぎりを包装した場合、包装材１０を容易かつ、確実に開封することができる。
【実施例２】
【００３０】
本発明の第２の実施例が図６ないし図８示され、図６は製造工程を示す略示的側面図、図７は切断機構を部分的に拡大して示す斜視図、図８は製造された包装材の正面図である。
【００３１】
ロール１２に巻回された外フィルム１は長手方向に一軸延伸形成された一方向性フィルムからなり、従って、その巾方向中央部内面にはカットテープが貼り付けられていない。
そして、図１に示す第１の実施例の切込機構２１に代えてガイドローラ１３が設けられ、かつ、切除機構２８及び切断機構２４に代わる切断機構３０が設けられている。
【００３２】
従って、ロール１２から引き出された外フィルム１はガイドローラ１３，２２、２３を経てシール装置１９に供給され、シール装置１９で接合された外フィルム１と内フィルム２、２は切断機構３０に供給される。
切断機構３０においては、図７及び図８に示すように、切断線３１により切断することによって外フィルム１及び内フィルム２、２の両側縁に切り欠き３２が形成されると同時に穴３５の内部において外フイルム１を山形状に切断する山形状の切断線３６及び外フィルム１及び内フィルム２，２の両側縁から山形状の切断線３６の両脚に達する切断線３７からなる切断線３８で切断される。
【００３３】
切断機構３０は、図７に示すように、カッターローラ３０ａとゴムローラ３０ｂを具え、カッターローラ３０ａの外周面には山形状の切断線３６を構成する刃３０ｃ及び切断線３７，３７を構成する刃３０ｄ及び３０ｄ並びに切断線３１，３１を構成する刃３０ｅ及び３０ｅが突設されている。
【００３４】
カッターローラ３０ａ及びゴムローラ３０ｂを矢印方向に回転させて上記刃３０ｃ，３０ｄ，３０ｄ，３０ｅ，３０ｅをゴムローラ３０ｂの外周面に当接させることによってカッターローラ３０ａとゴムローラ３０ｂの間を通過する内フィルム２、２及び外フィルム１を切断する。
切断機構３０によって切除された切除片は吸引機構２９により吸引されることにより取り除かれる。
【００３５】
かくして、外フィルム１と内フィルム２、２が切断線３８で切断されて切り離されることにより外フィルム１の先端に山形状摘み片３９が形成される。
他の工程は図１に示す第１に実施例と同様であり、対応する部材には同じ符号を付してその説明を省略する。
【００３６】
この第２の実施例によって製造された包装材１０１は、図８に示すように、外フィルム１の先端、即ち、進行方向側端の中央から山形状の摘み片３９が突出しているので、摘み片３９を見付け易く、かつ、摘み片３９の背後に内フイルム２，２が存在しないので、摘み易い。
【実施例３】
【００３７】
本発明の第３の実施例が図９ないし図１１示され、図９は製造工程を示す略示的側面図、図１０は切込機構を部分的に拡大して示す斜視図、図１１は製造された包装材の正面図である。
【００３８】
ロール１２に巻回された外フィルム１は長手方向に一軸延伸形成された一方向性フィルムからなり、その巾方向中央部内面にはカットテープが貼り付けられていない。
そして、図１に示す第１の実施例の切込機構２１に代えて切込機構２６が設けられ、かつ、切断機構２４に代えて切断機構４０が設けられている。
しかして、ロール１２から引き出された外フィルム１は切込機構２６に導かれ、ここで、図１０に示すように、長手方向に所定間隔を隔ててその巾方向中央部にこれを貫通するように進行方向に山形状のスリット４１が穿設される。
【００３９】
この切込機構２６は受ローラ２６ａと工具台２６ｂを具え、この工具台２６ｂを間欠的に白抜矢印方向に往復動させることによりこの工具台２６ｂに取り付けられた山形状のカッター２６ｃを受ローラ２６ａに当接せしめることによって受ローラ２６ａに巻回された外フィルム１に山形状のスリット４１を穿設する。
【００４０】
この外フイルム１は内フィルム２、２に重合され，この際スリット４１がフィルム２、２に穿設された穴３５の内部に位置せしめられる。
そして、この状態で、シール装置１９に供給されてここで互いに接合される。
【００４１】
シール装置１９で接合された外フィルム１と内フィルム２、２は切除機構２８及び吸引機構２９を経て切断機構４０に供給され、ここで、図１１に示すように、外フィルム１及び内フィルム２、２はその両側縁からスリット４１の両脚に達する切断線４２によって切断されることにより切り離される。
他の工程は図１に示す第１の実施例と同様であり、対応する部材には同じ符号を付してその説明を省略する。
【００４２】
この第３の実施例によって製造された包装材１０２は、図１１に示すように、外フィルム１の先端、即ち、進行方向側端の中央から山形状の摘み片４３が突出しているので、摘み片４３を見付け易く、かつ、摘み片４３の背後に内フイルム２，２が存在しないので、摘み易い。
【００４３】
上記第１，第２，第３の実施例においては、内フイルム２，２の上にシート状海苔３を配置し、その上から外フイルム１を重合しているが、外フイルム１の上にシート状海苔３を配置し、その上から内フイルム２，２を重合することもできる。
更に、内フイルム２，２及び外フイルム１の両側縁を切除して切り欠き３２，３２を形成しているが、これら切り欠き３２，３２を省略することもできる。
【００４４】
更に、上記第２，第３の実施例においては、外フイルム１の先端に山形状の摘み片が形成されているが、山形状の切断線３６或いはスリット４１を外フイルム１の反進行方向に向かう山形状とすれば、外フイルム１の後端に山形状の摘み片を形成することができる。
【産業上の利用可能性】
【００４５】
以上、三角形のおにぎりを包装する包装材について説明したが、本発明の包装材は三角形のおにぎりに限らず円盤状、球状のおにぎりの他、棒状の寿司飯、かやく飯等を包装することができ、また、包装材に封入されるものもシート状海苔に限らずシート状とされた昆布、たたみ鰯、鰹節を封入することもでき、更に、包装材によって食品以外のものを包装し、包装材の内部に食品以外のシート状物品を封入することもできる。
【図面の簡単な説明】
【００４６】
【図１】本発明の第１の実施例に係る製造工程を示す略示的側面図である。
【図２】上記第１の実施例における穴明機構の略示的斜視図である。
【図３】上記第１の実施例における切込機構の略示的斜視図である。
【図４】上記第１の実施例における切除機構の略示的斜視図である。
【図５】上記第１の実施例における包装材の正面図である。
【図６】本発明の第２の実施例に係る製造工程を示す略示的側面図である。
【図７】上記第２の実施例における切断機構の略示的斜視図である。
【図８】上記第２の実施例における包装材の正面図である。
【図９】本発明の第３の実施例に係る製造工程を示す略示的側面図である。
【図１０】上記第３の実施例における切込機構の略示的斜視図である。
【図１１】上記第３の実施例における包装材の正面図である。
【図１２】従来の包装材の正面図である。
【図１３】図１１のＢ−Ｂ線に沿う断面図である。
【図１４】従来の包装材を用いて三角形おにぎりを包装した状態を示す斜視図である。
【符号の説明】
【００４７】
１  外フィルム
２、２  内フィルム
３  シート状海苔
１０  包装材
１１  ロール
１２  ロール
１６  穴明機構
１７，２９  吸引機構
２１  切込機構
１９  シール装置
２０、２５  コンベヤ
１５、１８、２２、２３  ガイドローラ
２４  切断機構
２８  切除機構
【図１】
2005333802.tif 000003
【図２】
2005333802.tif 000004
【図３】
2005333802.tif 000005
【図４】
2005333802.tif 000006
【図５】
2005333802.tif 000007
【図６】
2005333802.tif 000008
【図７】
2005333802.tif 000009
【図８】
2005333802.tif 000010
【図９】
2005333802.tif 000011
【図１０】
2005333802.tif 000012
【図１１】
2005333802.tif 000013
【図１２】
2005333802.tif 000014
【図１３】
2005333802.tif 000015
【図１４】
2005333802.tif 000016